(57)【要約】  ２つ以上のスペクトルを放射する少なくとも２つのタイプのＬＥＤを含むＬＥＤユニットと、光源と光受容器とを含む皮膚タイプ検出器と、前記皮膚タイプ検出器と通信して信号を送受信し、さらに複数の別個の出力チャネルで前記ＬＥＤユニットに電力を供給するＬＥＤドライバとを含む、目標領域上の不要な毛を除去するための装置である。前記装置を用いて毛を除去するための方法も提供される。【選択図】    図１
2019520896.tif 000002
【特許請求の範囲】
【請求項１】
互いに異なる波長を有する光を放射する少なくとも２つのＬＥＤを含むＬＥＤユニットと、
目標領域の皮膚タイプを検出する光源と光受容器とを有する皮膚タイプ検出器と、
前記皮膚タイプ検出器と電気的に通信し、複数の別個の出力チャネルを介して前記ＬＥＤユニットに電力を送信するＬＥＤドライバとを含み、
前記ＬＥＤのピーク波長は、６００ｎｍ〜１２００ｎｍの範囲にあり、前記ＬＥＤユニットにおける２つのＬＥＤのそれぞれは、前記別個の出力チャネルの１つによって独立して電力が供給される、目標領域上の不要な毛を除去するための電子装置。
【請求項２】
前記ＬＥＤユニットは、互いに異なる波長を有する光を放射する３つのタイプのＬＥＤを含む、請求項１に記載の電子装置。
【請求項３】
前記ＬＥＤユニットは、３つのＬＥＤを含み、前記３つのＬＥＤのそれぞれは、異なる皮膚タイプに対応する異なる波長を放射する請求項１に記載の電子装置。
【請求項４】
前記ＬＥＤユニットは、６９４ｎｍ、７９０ｎｍ、８０８ｎｍ、８１０ｎｍ、８５０ｎｍ／９４５ｎｍ又は１０６４ｎｍの波長を有する光を放射する請求項１に記載の電子装置。
【請求項５】
前記皮膚タイプは、フィッツパトリックの皮膚分類を用いて分類され、また、６９４ｎｍ、７９０ｎｍ、８０８ｎｍ、８１０ｎｍ、８５０ｎｍ／９４５ｎｍ又は１０６４ｎｍの波長を有する光を放射する前記ＬＥＤは、それぞれ皮膚タイプＩ、ＩＩ、ＩＩＩ、ＩＶ、Ｖ及びＶＩに適用される請求項４に記載の電子装置。
【請求項６】
前記皮膚タイプ検出器は、前記目標領域の皮膚タイプを検出し、前記ＬＥＤドライバへの信号を生成する請求項１に記載の電子装置。
【請求項７】
前記ＬＥＤドライバは、前記受信された信号に基づいて、前記ＬＥＤユニットにおける適切なタイプのＬＥＤに電力を供給する請求項６に記載の電子装置。
【請求項８】
前記２つのＬＥＤは、１Ａ〜５Ａの電流パルス、２０ｍｓ〜４００ｍｓのパルス幅及び０．５〜１０秒（ｓ）のオフ時間で電力が供給される請求項１に記載の電子装置。
【請求項９】
前記装置の有効照射領域のスポットは、円形、正方形又は不規則である請求項１に記載の電子装置。
【請求項１０】
前記ＬＥＤユニットは、可撓性材料で封止されて前記ＬＥＤユニットを変形可能にする請求項１に記載の電子装置。
【請求項１１】
前記ＬＥＤユニットは、可撓性を有し、ヒトに着用可能である請求項１に記載の電子装置。
【請求項１２】
前記ＬＥＤユニットは、着用可能なリストバンドとして成形される請求項１に記載の電子装置。
【請求項１３】
請求項１に記載の電子装置を用いて毛を除去する方法であって、
前記電子装置から放射された光を目標領域に適用するステップと、
前記目標領域の皮膚タイプを皮膚タイプ検出器で検出するステップと、
検出された前記皮膚タイプに基づいて、前記ＬＥＤドライバに信号を前記電子装置で生成するステップと、
前記皮膚タイプ検出器によって生成された前記信号に従って、前記ＬＥＤドライバによって、前記ＬＥＤユニットにおけるＬＥＤに電力を供給するステップとを含む方法。
【請求項１４】
前記皮膚タイプ検出器は、前記ＬＥＤドライバから信号を受信すると、前記目標領域の皮膚表面に光源を照らし、前記電子装置における光受容器で反射光を読み取ることによって、前記皮膚タイプを検出する請求項１３に記載の方法。
【請求項１５】
前記皮膚タイプは、フィッツパトリックの皮膚分類を用いて分類され、また、６９４ｎｍ、７９０ｎｍ、８０８ｎｍ、８１０ｎｍ、８５０ｎｍ／９４５ｎｍ又は１０６４ｎｍの波長を有する光を放射する前記ＬＥＤは、それぞれ皮膚タイプＩ、ＩＩ、ＩＩＩ、ＩＶ、Ｖ及びＶＩに適用される請求項１３に記載の方法。
【発明の詳細な説明】
【技術分野】
【０００１】
本発明は、毛の除去に有用な装置及び方法に関する。該装置は、例えば、ヒト又は動物の不要な毛を永久に除去することができる。
【背景技術】
【０００２】
不要な毛を除去するために、いくつかの電子装置は、インテンスパルス光（ＩＰＬ）又はレーザ光のような光を用いる。ＩＰＬを用いて毛を除去する電子装置は、常にかさばり、大きな回路基板及びファンを必要とする。レーザ光を用いて毛を除去する電子装置は、ユーザに危険をもたらす可能性がある。例えば、連続照射は、皮膚の発赤、水疱、火傷及び他の副作用を引き起こす可能性がある。さらに、レーザ光は、単色光を放射するので、る皮膚タイプが異なる場合には適さない場合がある。
【０００３】
不要な毛を除去するための新規な方法及び装置が望まれている。
【発明の概要】
【０００４】
例示的な実施形態は、目標領域上の不要な毛を除去するための電子装置である。前記電子装置は、互いに異なる波長を有する光を放射する少なくとも２つのＬＥＤを含むＬＥＤユニットと、目標領域の皮膚タイプを検出する光源と光受容器とを有する皮膚タイプ検出器と、前記皮膚タイプ検出器と電気的に通信し、複数の別個の出力チャネルを介して、前記ＬＥＤユニットに電力を送信するＬＥＤドライバとを含む。ＬＥＤのピーク波長は、６００ｎｍ〜１２００ｎｍの範囲にあり、ＬＥＤユニットにおける２つのＬＥＤのそれぞれは、別個の出力チャネルの１つによって独立して電力が供給される。
【０００５】
他の例示的な実施形態は、本明細書で説明する。
【図面の簡単な説明】
【０００６】
【図１】図１は、例示的な実施形態に係る毛除去用電子装置を示す。
【図２】図２は、例示的な実施形態に係る異なるピーク波長を有する光を放射する異なるタイプの３つのＬＥＤ（Ｌ１、Ｌ２及びＬ３）を含むＬＥＤユニットを示す。
【図３】図３（Ａ）〜図３（Ｃ）は、例示的な実施形態に係る有効照射領域のスポット形状を示す。
【図４】図４（Ａ）及び図４（Ｂ）は、例示的な実施形態に係る有効照射領域の円形スポット形状と正方形スポット形状との間の重複領域の比較を示す。
【図５】図５は、例示的な実施形態に係るＬＥＤユニットを含む柔軟に着用可能な部品の概略図を示す。
【図６】図６は、例示的な実施形態に係る毛除去プロセスを示す。
【図７】図７は、例示的な実施形態に係る異なる皮膚タイプに使用される提案されたＬＥＤの波長を有する表を示す。
【図８】図８は、例示的な実施形態に係るＬＥＤを用いた皮膚の出力エネルギー密度及び有効照射領域サイズの試験結果を示す。
【図９Ａ】図９Ａは、例示的な実施形態に係る回路レイアウトの第１の概略図を示す。
【図９Ｂ】図９Ｂは、例示的な実施形態に係る回路レイアウトの第２の概略図を示す。
【図９Ｃ】図９Ｃは、例示的な実施形態に係る回路レイアウトの第３の概略図を示す。
【図９Ｄ】図９Ｄは、例示的な実施形態に係る回路レイアウトの第４の概略図を示す。
【発明を実施するための形態】
【０００７】
本明細書及び特許請求の範囲で使用されるように、「含む」は、他の要素を除外せず、以下の要素を含むことを意味する。
【０００８】
本明細書及び特許請求の範囲で使用されるように、「接続する」とは、特に明記しない限り、１つ以上の電気的手段を介して直接的又は間接的に電気的に結合するか、又は接続することを指す。
【０００９】
例示的な実施形態は、光源として光放射ダイオード（ＬＥＤ）を利用してヒト又は動物から不要な毛を除去するための電子装置及び方法を含む。
【００１０】
ＬＥＤスペクトルは、数十ナノメートルの範囲にある狭い半値全幅（ＦＷＨＭ）を有する。ピーク波長は、ｐ−ｎ接合を形成する材料のバンドギャップエネルギーを調整することによって変更することができる。ＬＥＤは、低電圧装置であり、駆動回路は安全である。ユーザの待ち時間を短縮するために、そのパルス間隔を短くすることもでき、充電時間を大幅に短縮する。顧客体験が向上する。
【００１１】
例示的な実施形態は、図１に示されるように、ＬＥＤドライバ１０１と、ＬＥＤユニット２０１と、皮膚タイプ検出器１０２とを含む電子毛除去装置である。
【００１２】
ＬＥＤドライバ１０１は、ＬＥＤユニット２０１と、皮膚タイプ検出器１０２と、エネルギー又は電源１０８とを電気的に接続する。ＬＥＤドライバ１０１は、皮膚タイプ検出器１０２と通信して信号を送受信し、さらに複数の別個の出力チャネル１１０を介して、ＬＥＤユニット２０１に電力を供給する。
【００１３】
ＬＥＤユニット２０１は、電磁スペクトルと異なる波長又は周波数を有する光を放射する２つ以上のタイプのＬＥＤを含む。例えば、Ｌ１、Ｌ２及びＬ３のそれぞれは、互いに異なる周波数又は波長を有する光を放射する。
【００１４】
図２は、４つのＬＥＤユニットを示し、１つのＬＥＤユニットは、３つのタイプのＬＥＤ、Ｌ１  １０５、Ｌ２  １０６及びＬ３  １０７を組み込む。例示的な実施形態によれば、ＬＥＤのピーク波長は、６００ｎｍ（ナノメートル）〜１２００ｎｍの範囲にある。さらなる例示的な実施形態において、ピーク波長は、６９４ｎｍ、７９０ｎｍ、８０８ｎｍ、８１０ｎｍ又は１０６４ｎｍである。Ｌ１  １０５、Ｌ２  １０６及びＬ３  １０７のスペクトルは、互いに異なる。さらなる例示的な実施形態において、Ｌ１のスペクトルは、６９０ｎｍにピークを有するが、Ｌ２は、８１０ｎｍにピークを有し、Ｌ３は、１０６４ｎｍにピークを有する。別の例示的な実施形態において、ＬＥＤのピーク波長及び数は、必要に応じて変更することができる。
【００１５】
ＬＥＤユニット２０１におけるそれぞれのＬＥＤ  Ｌ１、Ｌ２又はＬ３は、別個の出力チャネルの１つによって独立して電力が供給される。各出力チャネルは、ＬＥＤドライバ１０１によって独立して制御され、変調され、異なる光の組み合わせを実現する。一例において、２つ以上のＬＥＤは、目標領域の同じ部分で光を放射する。
【００１６】
皮膚タイプ検出器１０２は、目標領域１０９の皮膚タイプを検出するための光源１０３及び光受容器１０４を含む。さらなる例示的な実施形態において、光源は、白色光ＬＥＤである。
【００１７】
例示的な実施形態において、上記毛除去装置を用いて不要なヒト又は動物の毛を除去する方法は、図６に示されるように提供される。
【００１８】
ブロック６００は、目標領域１０９上に毛除去装置を適用することを記述する。皮膚タイプ検出器１０２は、ＬＥＤドライバ１０１から信号を受信すると、目標領域の皮膚表面に光源１０３を照らし、ブロック６０２に記述されるように、光受容器１０４でその反射光を読み取ることによって、皮膚タイプを検出する。反射された光に従って、皮膚タイプ検出器１０２は、皮膚タイプの信号をＬＥＤドライバ１０１に生成する。ブロック６０４は、受信された信号に基づいて、より良い結果を実現し、副作用を回避するための次の毛除去プロセスのために、ＬＥＤドライバ１０１がＬＥＤユニット２０１における適切なタイプのＬＥＤに電力を供給することを記述する。
【００１９】
皮膚タイプは、タイプＩ（淡白色）、タイプＩＩ（白色）、タイプＩＩＩ（乳白色）、タイプＩＶ（薄茶色）、タイプＶ（茶色）及びタイプＶＩ（濃茶色）からなるフィッツパトリックの皮膚分類を用いて分類される。さらなる例示的な実施形態において、より白い皮膚タイプが検出されるか、又は決定される場合、短い波長を有するＬＥＤがオンにされ、他のＬＥＤがロックされる。より黒い皮膚タイプの場合は、長い波長を有するＬＥＤのみがオンにされ、他のＬＥＤがロックされる。このようにＬＥＤをオン又はオフにすることにより、従来の電子毛除去装置に存在する皮膚の発赤又は水疱さえも低減又は除去される。
【００２０】
図７における表７００は、異なる皮膚タイプに使用される提案されたＬＥＤの波長を示す。６９４ｎｍ、７９０ｎｍ、８０８ｎｍ、８１０ｎｍ、８５０ｎｍ／９４５ｎｍ又は１０６４ｎｍの波長を有する光を放射するＬＥＤは、それぞれ皮膚タイプＩ、ＩＩ、ＩＩＩ、ＩＶ、Ｖ及びＶＩに適用される。
【００２１】
別の例示的な実施形態において、ＬＥＤ  Ｌ１、Ｌ２又はＬ３は、１〜５個のアンプ（Ａ）の電流パルス、２０〜４００ミリ秒（ｍｓ）のパルス幅及び０．５〜１０秒のオフ時間で電力が供給される。別の例において、ＬＥＤ  Ｌ１、Ｌ２又はＬ３は、２Ａの電流パルス、３９０ｍｓのパルス幅及び２ｓのオフ時間で電力が供給される。
【００２２】
図８は、例示的な実施形態に係るＬＥＤ光を用いた皮膚の出力エネルギー密度及び有効照射面積サイズの試験結果を示す。結果は、出力密度及び面積サイズが家庭用毛除去装置に十分であることを示す。
【００２３】
別の例示的な実施形態において、特定の位置の照射及び毛除去を実現するために、毛除去装置の有効照射領域３０１のスポットは、円形、正方形又は不規則である。図３（Ａ）、図３（Ｂ）及び図３（Ｃ）は、プリント回路基板３０２（図示せず）上の複数のＬＥＤのスポット形状を示す。
【００２４】
別の例示的な実施形態において、ＬＥＤユニットは、正方形又は長方形のビームスポット形状４０１を実現できるレンズをさらに含む。このようにして、大きな皮膚領域に光を適用すると、重複領域が減少する可能性がある。これにより、例示的な実施形態は、従来の電子毛除去装置と比較すると、迅速な処理プロセスを提供し、副作用を低減することが可能になる。図４（Ａ）及び図４（Ｂ）は、円形のスポット形状と正方形のスポット形状との間の重複領域の比較を示す。
【００２５】
別の例示的な実施形態において、ＬＥＤ  Ｌ１、Ｌ２及びＬ３は、小さく、可撓性回路基板上に配置される。ＬＥＤユニットの表面は、均一な毛除去結果を実現すると同時に、皮膚の不均一な領域に適用できるように、可撓性材料で封入されて変形可能な光源を実現する。さらなる例示的な実施形態において、可撓性材料は、シリコーンである。
【００２６】
別の例示的な実施形態において、ＬＥＤユニット２０１及び皮膚検出器１０２は、ＬＥＤドライバ１０１に隣接して配置される。
【００２７】
別の例示的な実施形態において、ＬＥＤユニット２０１及び皮膚検出器１０２は、ＬＥＤドライバ１０１から分離されるが、ＬＥＤドライバ１０１と電気的に通信する。ＬＥＤユニットは、可撓性回路基板上に配置され、またＬＥＤユニットが柔軟に着用可能な部品５０１として構成されるように、可撓性材料で封止される。さらなる例示的な実施形態において、柔軟に着用可能な部品５０１は、リストバンド形状であり、図５に示されるように、ヒトの手足又は他の身体部位に容易かつ迅速に適用することができる。
【００２８】
例示的な実施形態において、定電圧チップの回路は、図９Ａに示され、２４Ｖの入力電圧を図９Ｂのコントローラチップの回路用の３．３Ｖの出力電圧に変換する。別の例示的な実施形態において、図９Ｂの回路は、定電流チップを変調し、１〜５個のアンプ（Ａ）の電流パルス、２０〜４００ミリ秒（ｍｓ）のパルス幅及び０．５〜１０秒のオフ時間でＬＥＤ  Ｌ１、Ｌ２又はＬ３に電力を供給する。定電流チップの回路は、図９Ｃ及び図９Ｄに示される。
【００２９】
したがって、本発明の例示的な実施形態は、完全に説明される。説明は特定の実施形態を参照するが、本発明がこれらの具体的な詳細の変形で実施され得ることは当業者には明らかであろう。したがって、本発明は、本明細書に記載された実施形態に限定されると解釈されるべきではない。
【図１】
2019520896.tif 000003
【図２】
2019520896.tif 000004
【図３】
2019520896.tif 000005
【図４】
2019520896.tif 000006
【図５】
2019520896.tif 000007
【図６】
2019520896.tif 000008
【図７】
2019520896.tif 000009
【図８】
2019520896.tif 000010
【図９Ａ】
2019520896.tif 000011
【図９Ｂ】
2019520896.tif 000012
【図９Ｃ】
2019520896.tif 000013
【図９Ｄ】
2019520896.tif 000014
【国際調査報告】
2019520896.tif 000015
2019520896.tif 000016
2019520896.tif 000017
2019520896.tif 000018
2019520896.tif 000019
2019520896.tif 000020